(57)【要約】【課題】本発明の課題は、サブ画面を表示させたままで他のアプリケーションの作業を容易に行なうことができる画面表示装置及び広告提供システムを得ることにある。【解決手段】コンピュータの表示画面（表示部）３の左右何れかの端部に表示されるサブ画面５と、サブ画面表示手段７と、サブ画面表示制御手段１０と、表示画面３の所定の座標位置を指定するマウスポインタ９と、座標位置判別手段１３とを備え、サブ画面表示制御手段１０はサブ画面５を全体表示又は部分表示させており、サブ画面５が部分表示の場合において、マウスポインタ９が予め決められた範囲内にあると座標位置判別手段１３が判断したとき、サブ画面表示制御手段１０によりサブ画面５が部分表示から全体表示になると共に、サブ画面５が全体表示されている場合において、マウスポインタ９が予め決められた範囲内にあると判断したときにはサブ画面５が全体表示から部分表示になる。【選択図】図１
2007179320.tif 000002
【特許請求の範囲】
【請求項１】
コンピュータの表示画面の左右何れかの端部に表示されるサブ画面と、サブ画面を表示画面に表示するサブ画面表示手段と、サブ画面の表示を制御するサブ画面表示制御手段と、表示画面の所定の座標位置を指定するマウスポインタと、マウスポインタが表示画面の予め決められた範囲内にあるか否かを判別する座標位置判別手段とを備え、サブ画面表示制御手段はサブ画面を全体表示又は部分表示させており、サブ画面が部分表示されている場合において、マウスポインタが予め決められた範囲内にあると座標位置判別手段が判断したときには、サブ画面表示制御手段によりサブ画面が部分表示から全体表示になると共に、サブ画面が全体表示されている場合において、マウスポインタが予め決められた範囲内にあると座標位置判別手段が判断したときには、サブ画面表示制御手段によりサブ画面が全体表示から部分表示になることを特徴とする画面表示装置。
【請求項２】
サブ画面が部分表示されている場合において、マウスポインタが表示画面に現れたサブ画面内にあると座標位置判別手段が判断したとき、サブ画面表示制御手段によりサブ画面が部分表示から全体表示になることを特徴とする請求項１に記載の画面表示装置。
【請求項３】
サブ画面が全体表示されている場合において、マウスポインタがサブ画面の領域外にあると座標位置判別手段が判断したとき、サブ画面表示制御手段によりサブ画面が全体表示から部分表示になることを特徴とする請求項１又は２に記載の画面表示装置。
【請求項４】
サブ画面表示制御手段はサブ画面を部分表示から全体表示させる表示速度及び全体表示から部分表示させる表示速度を制御する表示速度制御手段を備えることを特徴とする請求項１〜３の何れか一項に記載の画面表示装置。
【請求項５】
サブ画面表示手段はコンピュータの起動に連動してサブ画面を表示画面に部分表示させることを特徴とする請求項１〜４の何れか一項に記載の画面表示装置。
【請求項６】
サブ画面は、時刻、カレンダ、天気予報、ニュースを表示する情報配信部、インターネットの検索部、企業の広告を表示する広告表示部を備えることを特徴とする請求項１〜５の何れか一項に記載の画面表示装置。
【請求項７】
サブ画面表示手段により部分表示されたサブ画面にはインターネットの検索部を含む一部の機能のみが設けられていることを特徴とする請求項１に記載の画面表示装置。
【請求項８】
請求項６又は７に記載の画面表示装置は、広告主との契約により設定した広告を登録したデータベースサーバと、インターネットを介してデータベースサーバ内の広告をサブ画面の広告表示部に配信する広告配信サーバと、広告配信サーバから配信された広告の配信数やサブ画面上でクリックされた広告の数を表示するＬｏｇサーバと、データベースサーバ及びＬｏｇサーバを管理する広告管理サーバとが一体になった管理システムに接続されており、管理システムは管理システムの管理者、広告の管理者及び広告主がアクセス可能であり、管理システムの管理者、広告の管理者及び広告主は広告管理サーバにアクセスしてＬｏｇサーバ内の情報を閲覧したり、データベースサーバ内の広告内容の書き換えを行なうことを特徴とする広告提供システム。
【請求項９】
サブ画面は特定企業のホームページサイトからダウンロード可能であり、広告配信サーバは配信する広告を制限する広告配信情報制限手段を備え、広告配信情報制限手段はサブ画面のダウンロード元の企業業種と、サブ画面上に表示される広告の企業業種とが重複しないようにしていることを特徴とする請求項８に記載の広告提供システム。
【発明の詳細な説明】
【技術分野】
【０００１】
本発明は、画面表示装置及び広告提供システムに関する。
【背景技術】
【０００２】
特許文献１に記載の従来技術には、コンピュータの表示画面に表示されるＷｅｂブラウザ（サブ画面）が開示されており、Ｗｅｂブラウザでインターネット上の情報やＷｅｂサイトを検索して表示することができる。係るＷｅｂブラウザはアプリケーションプログラムが記憶されている所定のドライブ又は表示画面に表示されているショートカット・アイコンを選択することで表示画面に表示することができる。
【０００３】
【特許文献１】特開２００２−１８３２１４号公報
【発明の開示】
【発明が解決しようとする課題】
【０００４】
しかし、特許文献１に記載の従来技術では、Ｗｅｂブラウザが表示画面に最大限表示されるため、例えば他のアプリケーションソフト（ワード・プロセッサ等）を使用する場合には、Ｗｅｂブラウザを最小化又は縮小表示する必要があり、Ｗｅｂブラウザを最小化した場合にはＷｅｂブラウザの情報を見ることができず、Ｗｅｂブラウザを表示した状態では他のアプリケーションソフトの作業ができ難いという問題があった。
【０００５】
一方、Ｗｅｂブラウザを縮小表示した場合には、表示される領域が一部分に限定されるため、Ｗｅｂブラウザ上の情報を全部見るためには、画面をスクロールさせる必要があり、操作が複雑になるという問題があった。
【０００６】
本発明は、サブ画面を表示させたままで他のアプリケーションの作業を容易に行なうことができる画面表示装置及び広告提供システムを得ることを目的とする。
【課題を解決するための手段】
【０００７】
前記課題を解決するために、請求項１に記載された発明は、コンピュータの表示画面の左右何れかの端部に表示されるサブ画面と、サブ画面を表示画面に表示するサブ画面表示手段と、サブ画面の表示を制御するサブ画面表示制御手段と、表示画面の所定の座標位置を指定するマウスポインタと、マウスポインタが表示画面の予め決められた範囲内にあるか否かを判別する座標位置判別手段とを備え、サブ画面表示制御手段はサブ画面を全体表示又は部分表示させており、サブ画面が部分表示されている場合において、マウスポインタが予め決められた範囲内にあると座標位置判別手段が判断したときには、サブ画面表示制御手段によりサブ画面が部分表示から全体表示になると共に、サブ画面が全体表示されている場合において、マウスポインタが予め決められた範囲内にあると座標位置判別手段が判断したときには、サブ画面表示制御手段によりサブ画面が全体表示から部分表示になることを特徴とする。
【０００８】
請求項２に記載された発明は、請求項１に記載の発明において、サブ画面が部分表示されている場合において、マウスポインタが表示画面に現れたサブ画面内にあると座標位置判別手段が判断したとき、サブ画面表示制御手段によりサブ画面が部分表示から全体表示になることを特徴とする。
【０００９】
請求項３に記載された発明は、請求項１又は２に記載の発明において、サブ画面が全体表示されている場合において、マウスポインタがサブ画面の領域外にあると座標位置判別手段が判断したとき、サブ画面表示制御手段によりサブ画面が全体表示から部分表示になることを特徴とする。
【００１０】
請求項４に記載された発明は、請求項１〜３の何れか一項に記載の発明において、サブ画面表示制御手段はサブ画面を部分表示から全体表示させる表示速度及び全体表示から部分表示させる表示速度を制御する表示速度制御手段を備えることを特徴とする。
【００１１】
請求項５に記載された発明は、請求項１〜４の何れか一項に記載の発明において、サブ画面表示手段はコンピュータの起動に連動してサブ画面を表示画面に部分表示させることを特徴とする。
【００１２】
請求項６に記載された発明は、請求項１〜５の何れか一項に記載の発明において、サブ画面は、時刻、カレンダ、天気予報、ニュースを表示する情報配信部、インターネットの検索部、企業の広告を表示する広告表示部を備えることを特徴とする。
【００１３】
請求項７に記載された発明は、請求項１に記載の発明において、サブ画面表示手段により部分表示されたサブ画面にはインターネットの検索部を含む一部の機能のみが設けられていることを特徴とする。
【００１４】
請求項８に記載された発明は、請求項６又は７に記載の画面表示装置が、広告主との契約により設定した広告を登録したデータベースサーバと、インターネットを介してデータベースサーバ内の広告をサブ画面の広告表示部に配信する広告配信サーバと、広告配信サーバから配信された広告の配信数やサブ画面上でクリックされた広告の数を表示するＬｏｇサーバと、データベースサーバ及びＬｏｇサーバを管理する広告管理サーバとが一体になった管理システムに接続されており、管理システムは管理システムの管理者、広告の管理者及び広告主がアクセス可能であり、管理システムの管理者、広告の管理者及び広告主は広告管理サーバにアクセスしてＬｏｇサーバ内の情報を閲覧したり、データベースサーバ内の広告内容の書き換えを行なうことを特徴とする。
【００１５】
請求項９に記載された発明は、請求項８に記載の発明において、サブ画面は特定企業のホームページサイトからダウンロード可能であり、広告配信サーバは配信する広告を制限する広告配信情報制限手段を備え、広告配信情報制限手段はサブ画面のダウンロード元の企業業種と、サブ画面上に表示される広告の企業業種とが重複しないようにしていることを特徴とする。
【発明の効果】
【００１６】
請求項１に記載の発明によれば、サブ画面はコンピュータの表示画面の左右何れかの端部に表示されるので、他のアプリケーションを立ち上げた場合においても、サブ画面が邪魔になりにくく、サブ画面を表示させたままで他のアプリケーションの作業を容易に行なうことができる。
【００１７】
マウスポインタが予め決められた範囲内にあると判断されたときには、サブ画面表示制御手段によりサブ画面が全体表示から部分表示になるので、表示画面の空きスペースが広くなり、他のアプリケーションを表示画面で更に大きく表示することができ、更に作業がし易い。
【００１８】
マウスポインタを予め決められた範囲内に移動させるだけで、サブ画面を全体表示させたり部分表示させたりできるので、サブ画面を全体表示させたり部分表示させたりする際にマウスのボタンをクリックする必要がなく、操作が簡単である。
【００１９】
請求項２に記載された発明によれば、請求項１に記載の発明と同様の効果を奏すると共に、サブ画面の部分表示位置において、マウスポインタがサブ画面内に位置したとき、サブ画面が部分表示から全体表示になるので、サブ画面を全体表示させるための操作が簡単である。
【００２０】
請求項３に記載された発明によれば、請求項１又は２に記載の発明と同様の効果を奏すると共に、マウスポインタが表示画面に表示されたサブ画面の領域外に位置したとき、サブ画面が全体表示から部分表示になるので、サブ画面を部分表示させるための操作が簡単である。
【００２１】
請求項４に記載された発明によれば、請求項１〜３の何れか一項に記載の発明と同様の効果を奏すると共に、サブ画面の表示速度を制御できるので、所望の表示速度に調整することで、サブ画面を全体表示又は部分表示させる際のいらいら感を解消できる。
【００２２】
請求項５に記載された発明によれば、請求項１〜４の何れか一項に記載の発明と同様の効果を奏すると共に、コンピュータの起動に連動してサブ画面が表示画面に部分表示されるので、サブ画面を全体表示させる際に、サブ画面を起動するアイコン等を探す必要がなく、サブ画面を全体表示させる時間の短縮化を図ることができる。
【００２３】
請求項６に記載された発明によれば、請求項１〜５の何れか一項に記載の発明と同様の効果を奏すると共に、サブ画面に情報配信部、インターネットの検索部、広告表示部を備えているので、従来のポータルサイトとほぼ同じ機能を小さな画面で提供することができ、使い勝手が良い。
【００２４】
請求項７に記載された発明によれば、請求項１に記載の発明と同様の効果を奏すると共に、部分表示したサブ画面にインターネットの検索部を含む一部の機能のみを備えているので、小さな画面でインターネットの検索が簡単にできる。
【００２５】
請求項８に記載された発明によれば、管理システムの管理者及び広告主は広告管理サーバにアクセスしてＬｏｇサーバ内の情報を閲覧したり、データベースサーバ内の広告情報の書き換えを行なうことができるので、例えばサブ画面上での広告のクリック数に応じて広告内容を見直して情報の書き換えができ、自由度が高い。
【００２６】
請求項９に記載された発明によれば、請求項８に記載の発明と同様の効果を奏すると共に、広告配信情報制限手段によってサブ画面のダウンロード元の企業業種と、サブ画面上に表示される企業広告の企業業種とが重複しないようにしているので、競合他社同士の広告がサブ画面に表示されず、重複表示による企業ブランドの低下を防止することができる。
【発明を実施するための最良の形態】
【００２７】
以下に、添付図面を参照して、本発明の実施の形態を詳細に説明する。尚、図１は第１実施の形態に係る画面表示装置において、サブ画面がコンピュータの表示画面に全体表示されている状態を示す図、図２はサブ画面が全体表示から部分表示又は部分表示から全体表示になる途中を示す図、図３はサブ画面がコンピュータの表示画面に部分表示されている状態を示す図、図４はサブ画面が部分表示から全体表示になる動作を説明するフローチャート、図５はサブ画面が全体表示から部分表示になる動作を説明するフローチャート、図６は第１実施の形態に係る画面表示装置の制御ブロック図、図７はサブ画面のダウンロード方法を説明する図である。
【００２８】
本実施の形態に係る画面表示装置１は、コンピュータの表示画面（表示部）３上の左端部に表示されるサブ画面５と、サブ画面５を表示画面３上に表示するサブ画面表示手段７と、サブ画面５の表示を制御するサブ画面表示制御手段１０と、表示画面３上の所定の座標位置を指定するマウスポインタ９と、マウスポインタ９が表示画面３の予め決められた範囲内の座標位置にあるか否かを判別する座標位置判別手段１３と、マウスポインタ９の移動操作や文字入力を行なう入力操作部１１と、各制御プログラムを記憶した記憶部１５を備えている。
【００２９】
そして、サブ画面５を使用しないときには、図３に示すようにサブ画面５は表示画面３の右端部に部分表示させ、サブ画面５を使用するときだけ、図１に示すようにサブ画面５を表示画面３に全体表示させている。またサブ画面表示制御手段１０はサブ画面５の表示速度を制御する表示速度制御手段１０ａを更に備えており、秒速１５ｍｍの速さで表示画面３上を移動する。尚、サブ画面５の移動速度はユーザが調整自在である。
【００３０】
図１に示すようにサブ画面５は全体表示させている場合において短冊状であり、全体表示においてはサブ画面５の大きさは横の長さが表示画面３の約５分の１〜３分の１の大きさ、縦の長さは表示画面３とほぼ同じか、若干短い程度の長さである。また図３に示すように、サブ画面５が部分表示のときのサブ画面５の大きさは、縦の長さは全体表示のときと変わらないが、横の長さは表示画面３に表示されているアイコンの横の長さよりも小さくなっている。
【００３１】
次にサブ画面５に表示される各機能について簡単に説明する。サブ画面５は、時刻２１ａ、カレンダ２１ｂ、天気予報２１ｃ、ニュース等の表示部２１ｄを備える情報配信部２１と、インターネットの検索部２３と、企業広告を配信する広告表示部２５とを備えている。尚、ユーザは各機能の配置位置を変えたり、新しい機能を追加又は削除を自在に行なうことができる。
【００３２】
次にサブ画面５のダウンロード方法について説明する。図７に示すように、サブ画面５のプログラムはインターネット２０上の特定サイト（企業のホームページ）からダウンロード可能である。尚、ダウンロードするサブ画面５は配布元の企業により、サブ画面５の種類が異なる。
【００３３】
すなわち、図７に示すようにＡ社が後述する広告提供システム２２の管理者である場合、Ａ社が配布するサブ画面５ａと、Ａ社と提携したＢ社及びＣ社が配布するサブ画面５ｂとは、サブ画面５の色や形状、表示部２１ｄに表示される内容及び広告表示部２５に配信される内容等が異なっている。また、Ａ社と提携しないＤ社が配布するサブ画面５ｃには、Ｄ社以外の企業情報は配信されないようになっており、また広告表示部２５に表示される広告もＤ社のみの広告が配信される。
【００３４】
次にサブ画面５のインストール方法について説明する。インターネット２０の特定企業のホームページサイトには、サブ画面５の特徴や使用方法、ダウンロード方法等を記載したサブ画面５の宣伝用ページがあり、ユーザは係る宣伝用ページにアクセスし、サブ画面５のインストーラのプログラムをダウンロードする。
【００３５】
ユーザがサブ画面５のインストーラのプログラムをダウンロードすると、コンピュータの表示画面３にサブ画面５のインストーラのアイコンが表示され、インストーラのアイコンをダブルクリックすると、広告管理サーバ３７から必要なファイルがダウンロードされ、インストール作業が開始する。インストールが終了するとダウンロードした各種ファイルはＰＣ内のスタートアッププログラムに格納され、コンピュータの起動に連動してサブ画面５が表示画面３上の部分表示位置に表示される。
【００３６】
次いで、サブ画面５の最初の起動時において、メールアドレス、性別、生年月日等の入力画面が表示画面３上に開き、ユーザがメールアドレス、性別、生年月日等を入力して登録ボタンを押すことで、入力した情報が後述する広告管理サーバ３７に送信される。
【００３７】
そして、広告管理サーバ３７からユーザが入力画面に入力したメールアドレスにシリアル番号が送信される。ユーザはサブ画面５を再度起動したときに表れる入力画面にシリアル番号を入力すると、広告管理サーバ３７に入力したシリアル番号が送信され、ユーザが入力したシリアル番号と広告管理サーバ３７からユーザに配信したシリアル番号とが一致した場合、ユーザ認証がなされ、ユーザはサブ画面５を自由に使用できる。
【００３８】
次にサブ画面５の表示動作について説明する。図３に示すようにコンピュータを起動させると、コンピュータの表示画面３にはワード・プロセッサや表計算ソフト等の複数のアイコン４が表示されると共に、表示画面３の右端部にサブ画面５が部分表示される。そして、マウスポインタ９をサブ画面５に移動させると、サブ画面５が部分表示から全体表示に向かって移動し始める。すなわち図４に示すステップＳ１１において、座標位置判別手段１３によりマウスポインタ９のＸ座標の値（表示画面３の左輪郭３ａからの距離）が、表示画面３の横幅からサブ画面５の部分表示幅を差し引いた値よりも大きいか否か判断され、大きいと判断された場合には、次のステップＳ１２に進む。
【００３９】
ステップＳ１２では座標位置判別手段１３によりサブ画面５の左端部６のＸ座標が、表示画面３の横幅からサブ画面５の横幅を差し引いた値よりも大きいか否か判断され、大きいと判断された場合には次のステップＳ１３に進み、サブ画面５は図３に示す部分表示の状態から図１に示すように全体表示になる。
【００４０】
一方、サブ画面５が図１に示すような全体表示されている場合において、マウスポインタ９をサブ画面５の領域外に位置させると、サブ画面５が全体表示から図３に示すような部分表示に向かって移動し始める。すなわち図５に示すステップＳ２１において、座標位置判別手段１３によりマウスポインタ９のＸ座標の値（表示画面３の左輪郭３ａからの距離）が、表示画面３の横幅からサブ画面５の横幅を差し引いた値よりも小さいか否か判断され、小さいと判断された場合には、次のステップＳ２２に進む。
【００４１】
ステップＳ２２では座標位置判別手段１３によりサブ画面５の左端部６のＸ座標が、表示画面３の横幅からサブ画面５の部分表示幅を差し引いた値よりも小さいか否か判断され、小さいと判断された場合には次のステップＳ２３に進み、サブ画面５は図１に示す全体表示の状態から図３に示すように部分表示になる。
【００４２】
以上のように、サブ画面５はコンピュータの表示画面３の右端部に表示されるので、他のアプリケーションを立ち上げた場合においても、サブ画面５が邪魔になりにくく、サブ画面５を表示させたままで他のアプリケーションの作業を容易に行なうことができる。
【００４３】
マウスポインタ９が予め決められた範囲内の座標位置にあると判断されたときには、サブ画面表示制御手段１０によりサブ画面５が全体表示から部分表示になるので、表示画面３の空きスペースが広くなり、他のアプリケーションを表示画面３上で更に大きく表示することができ、作業が更にし易い。
【００４４】
マウスポインタ９を予め決められた範囲内の座標位置に移動させるだけで、サブ画面５が全体表示されたり部分表示されたりするので、サブ画面５の移動の際にマウスのボタンをクリックする必要がなく、サブ画面５を全体表示したり部分表示したりする操作が簡単である。
【００４５】
サブ画面５の表示速度を制御できるので、所望の表示速度に調整することで、サブ画面５を全体表示又は部分表示させる際のいらいら感を解消できる。
【００４６】
サブ画面５はコンピュータの起動に連動して表示画面３の部分表示されるので、サブ画面５を全体表示させる際に、サブ画面５を起動するアイコン等を探す必要がなく、サブ画面５を全体表示させる時間の短縮化を図れる。
【００４７】
次に、他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００４８】
第２実施の形態では、上述の画面表示装置１のサブ画面５を利用した広告提供システム３０について説明する。広告提供システム３０は、システム管理者４０と、インターネット上の管理システム２２と、管理システム２２に接続されたユーザのコンピュータ（画面表示装置１）と、ユーザに配信する広告の内容等を管理する広告管理会社５０又は広告主５２を備える。
【００４９】
管理システム２２は、広告主との契約により設定された広告情報を登録しているデータベースサーバ３１と、インターネット２０を介してデータベースサーバ３１内の広告情報をサブ画面５の広告表示部２５に配信する広告配信サーバ３３と、広告配信サーバ３３から配信された広告の配信数やサブ画面５上でクリックされた広告のカウント数を表示するＬｏｇサーバ３５と、データベースサーバ３１及びＬｏｇサーバ３５を管理する広告管理サーバ３７と、サブ画面５に表示された広告のクリック数やインターネットの検索部２３で検索された用語を取得するリダイレクトサーバ３９とを備えている。
【００５０】
管理システム２２は広告管理会社５０又は広告主５２からアクセス可能であり、広告管理会社５０又は広告主５２はＰＣからＩＤ番号及びパスワードを入力して、広告管理サーバ３７にアクセスしてＬｏｇサーバ３５内の情報を閲覧したり、データベースサーバ３１内の広告情報の書き換えを行なっている。
【００５１】
次にサブ画面５の広告表示部２５について図８及び図９を用いて説明する。図８に示すように、広告表示部２５には特集広告枠２５ａ、カテゴリ広告枠２５ｂ、リスティング広告枠２５ｃ、バナー広告枠２５ｄが組み込まれている。
【００５２】
まず、特集広告枠２５ａについて説明する。特集広告枠２５ａには特集となっているタイトル２６ａが表示される。ユーザが特集のタイトル２６ａをクリックすると、図９（ａ）に示すようなサブ画面５とは別のレイヤー画面２６が表示画面３に開き、レイヤー画面２６のトップに特集となっているタイトル２６ａが表示されると共に、タイトル２６ａに続いて管理システム２２のデータベースサーバ３１内に入稿されている広告のタイトル２６ｂの一覧がレイヤー画面２６に表示される。ユーザが広告のタイトル２６ｂをクリックすると、クリック情報がリダイレクトサーバ３９に送信され、ブラウザ８上に指定されたＵＲＬ画面が表示される。レイヤー画面２６は画面右上の閉じボタン２６ｃをクリックすると閉じる。
【００５３】
次にカテゴリ広告枠２５ｂについて説明する。カテゴリ広告枠２５ｂには「ショッピング、旅行、スポーツ・・・」等の複数ジャンルのカテゴリが表示されている。カテゴリ広告枠２５ｂに表示されるカテゴリは固定されておらず、サブ画面５の使用当初はデータベースサーバ３１内に入稿されている数の多い順にカテゴリが表示される。また、カテゴリ広告枠２５ｂに表示されるカテゴリの順番は、ユーザがクリックした数の多い順に並び変わる。
【００５４】
そして、ユーザが任意のカテゴリをクリックすると、図９（ｂ）に示すようなサブ画面５とは別のレイヤー画面２７が開き、レイヤー画面２７に管理システム２２のデータベースサーバ３１内に入稿されている広告のタイトル２７ａの一覧がレイヤー画面２７に表示される。ユーザが広告のタイトル２７ａをクリックすると、クリック情報がリダイレクトサーバ３９に送信され、ブラウザ８上に指定されたＵＲＬ画面が表示される。
【００５５】
尚、レイヤー画面２７の下部にはスポンサーサイト欄２７ｂが設けられており、スポンサー名をクリックすると、ブラウザ８が開いて図１３に示すような会員登録及び物品購入画面２７ｄが表示されるようになっている。ユーザが会員登録及び物品購入画面２７ｄで物品を購入すると、次の完了画面に進み、ユーザの会員情報等がＬｏｇサーバ３５に送信されるようになっている。尚、完了した旨の情報はビーコン受信によってＬｏｇサーバ３５に送信される。
【００５６】
次にリスティング広告枠２５ｃについて説明する。リスティング広告枠２５ｃはインターネットの検索部２３を利用したものであり、ユーザが検索したいキーワードをインターネットの検索部２３に入力して検索ボタン２３ａを押すと、キーワード情報がリダイレクトサーバ３９に送信される。
【００５７】
次いで、キーワード情報はインターネット上の検索エンジン２８に送信され、図９（ｃ）に示すように入力したキーワードに関連したサイト２９ａの一覧がレイヤー画面２９に表示される。ユーザが任意のサイト２９ａをクリックすると、クリックした情報がリダイレクトサーバ３９に送信され、ブラウザ８上に指定されたＵＲＬ画面が表示される。尚、レイヤー画面２９の右側にはスポンサーサイト欄２９ｂが設けられており、スポンサー名をクリックすると、上述のカテゴリ広告枠２５ｂで説明したように図１２に示すような会員登録及び物品購入画面２７ｄが表示されるようになっている。
【００５８】
次にバナー広告枠２５ｄについて説明する。バナー広告枠２５ｄにはデータベースサーバ３１に登録されているバナー広告が表示されるようになっており、係るバナー広告には所定の時間ごとに異なる企業の広告がローテーション表示されるようになっている。
ユーザがこのバナー広告をクリックすると、クリック情報がリダイレクトサーバ３９に送信され、ブラウザ８上に指定されたＵＲＬ画面が表示される。
【００５９】
サブ画面５の表示部２１ｄには、ニュースの配信に加えて、サイトの更新情報、商品紹介、キャンペーン情報などを小さなウィンドウとして表示するＲＳＳ（Rich Site Summary）ティッカー機能を備えている。このティッカー機能内のテロップをクリックするとブラウザ８が起動して指定されたＵＲＬ画面が表示される。
【００６０】
次に広告管理会社又は広告主のシステム閲覧及び編集機能について図１０を用いて説明する。広告管理会社５０又は広告主５２にはシステム管理者４０からＩＤ番号及びパスワードが配布されており、広告管理会社５０又は広告主５２はＰＣのログイン画面６０にＩＤ番号及びパスワードを入力し、ログインボタンを押すことで、広告管理画面にログインできる。ログインするとメニュー画面６１が表示される。メニュー画面６１から広告の入稿を行なう入稿状況一覧画面６２ａ、入稿済み広告管理画面６３ａ、ログ解析画面６４ａ、及びお客様情報画面６５ａに移動できる。
【００６１】
入稿状況一覧画面６２ａでは広告枠の入稿状況を確認できると共に、次の広告入稿画面６２ｂでは空いている枠を指定して広告の入稿を行なうことができる。新しく入稿した広告は次の確認画面６２ｃで確認でき、確認が終了すると完了画面６２ｄが表示されて、その情報は広告管理サーバ３７に送信され、データベースサーバ３１内に記憶される。システム管理者４０はデータベース３１内に新しく入稿された広告を確認して、広告が承認できるか否かを広告管理会社５０又は広告主５２に返信する。
【００６２】
入稿済み広告管理画面６３ａでは、配信前の入稿広告の一覧を参照することができ、一覧から任意の広告をクリックすることで広告編集画面６３ｂに進み、係る画面で広告の内容を編集することができる。編集した広告は次の確認画面６３ｃで確認でき、確認が終了すると完了画面６３ｄが表示されて、その情報は広告管理サーバ３７に送信され、データベースサーバ３１内に記憶される。システム管理者４０はデータベース３１内に新しく入稿された広告を確認して、広告が承認できるか否かを広告管理会社５０又は広告主５２に返信する。
【００６３】
ログ解析画面６４ａでは、配信中の広告又は配信が完了した広告のログを確認でき、詳細画面６４ｂではダウンロード数やアクティブ数、クリック数、成約数（コンバージョン数））を確認できる。尚、ログの確認はリアルタイムの状況は確認できず、例えば午前５時以前のログを確認できる。
【００６４】
お客様情報画面６５ａでは、ユーザのログインＩＤやお知らせメールなどに添付する担当者氏名などのユーザ情報を編集でき、編集した内容は次の確認画面６５ｂで確認でき、確認が終了すると完了画面６５ｃが表示される。
【００６５】
このように、広告管理会社５０又は広告主５２は広告管理サーバ３７にアクセスしてＬｏｇサーバ３５内の情報を閲覧したり、データベースサーバ３１内の広告情報の書き換えを行なうことができるので、例えばサブ画面上での広告のクリック数に応じて広告内容を見直して情報の書き換えができ、自由度が高い。
【００６６】
次にシステム管理方法について図１１を用いて説明する。システム管理者４０はＰＣのログイン画面７０にＩＤ番号及びパスワードを入力し、ログインボタンを押すことで、広告管理画面にログインできる。ログインするとメニュー画面７１が表示される。メニュー画面７１から広告の入稿を行なう入稿状況一覧画面７２ａ、広告主一覧画面７３ａ、ログ解析画面７４ａ、及び管理者情報画面７５ａに移動する。
【００６７】
入稿状況一覧画面７２ａでは広告枠の入稿状況を確認できると共に、次の入稿承認画面７２ｂでは新しく入稿した広告の承認を行なうことができる。広告の承認が終了すると次の確認画面７２ｃに進み、確認が終了すると完了画面７２ｄが表示されて、その承認情報は広告管理サーバ３７に送信されてデータベースサーバ３１内に記憶されると共に、広告主５０にも承認情報が送信される。
【００６８】
広告主一覧画面７３ａでは契約している広告主５０の一覧を閲覧でき、一覧の中から任意の広告主５０をクリックすると、次の広告主編集画面７３ｂにおいて広告主５０の情報を編集することができる。編集した情報は次の確認画面７３ｃで確認でき、確認が終了すると完了画面７３ｄが表示されて、その情報は広告管理サーバ３７に送信され、データベースサーバ３１内に記憶する。また、新しい広告主と契約が完了すると、広告主にＩＤ番号及びパスワードを発行すると共に、広告主追加画面７３ｅにおいて広告主の情報を入力する。この入力した情報は次の確認画面７３ｆで確認でき、確認が終了すると完了画面７３ｇが表示される。尚、請求データ閲覧画面７３ｈでは現在稼動中の広告主の一覧と請求先とが表示される。
【００６９】
ログ解析画面７４ａでは、配信中の広告又は配信が完了した広告のログを確認でき、詳細画面７４ｂでダウンロード数やアクティブ数、クリック数、成約数（コンバージョン数））を確認できる。尚、ログの確認はリアルタイムの状況は確認できず、例えば午前５時以前のログを確認できる。
【００７０】
管理者情報画面７５ａでは、サブ画面５の表示部２１ｄに配信するメッセージを編集でき、編集した内容は次の確認画面７５ｂで確認でき、確認が終了すると完了画面７５ｃが表示される。
【００７１】
このように、システム管理者４０は広告管理サーバ３７にアクセスしてＬｏｇサーバ３５内の広告主の情報を閲覧したり、データベースサーバ３１内の広告主の書き換えや広告の承認を行なうことができるので、インターネットが接続できる環境であれば場所を問わず任意にシステムの管理を行なうことができる。
【００７２】
次に広告配信の排他処理機能について図１２を用いて説明する。広告配信サーバには広告配信情報制限手段３３ａが設けられており、広告配信情報制限手段３３ａはサブ画面５のダウンロード元の企業業種と、サブ画面５上に表示される広告の企業業種とが重複しないようにしている。
【００７３】
具体的には図１２に示すように、広告管理システム２２のＤＢサーバ３１にはサブ画面５に配信される各企業の広告が記憶されており、各広告は企業の業種別に分類されている。例えば広告主であるＡ社が食品メーカー、Ｂ社が自動車メーカー、Ｃ社が食品メーカーの場合、Ａ社の広告は「食品」、Ｂ社の広告は「自動車」、Ｃ社の広告は「食品」、Ｄ社の広告は「自動車」、Ｅ社の広告は「化粧品」、Ｆ社の広告は「銀行」にそれぞれ分類されている。そして、広告配信サーバ３３上の広告配信情報制限手段３３ａには、異なる種類の広告配信データ（ＲＳＳ−１〜ＲＳＳ−Ｘ）が蓄積される。
【００７４】
すなわち第１広告配信データ（ＲＳＳ−１）には自動車メーカーＤ社の広告を含まない配信データ、すなわちＡ社〜Ｃ社、Ｅ社、Ｆ社のみの広告データを含んでいる。同様に、第２広告配信データ（ＲＳＳ−２）にはＡ社〜Ｆ社のすべての広告データを含んでいる。また、第３広告配信データ（ＲＳＳ−３）にはＡ社の広告を含まない配信データ、すなわちＢ社〜Ｆ社の広告データのみを含んでいる。
【００７５】
そして、サブ画面５ａが自動車メーカーＢ社の配布したものであった場合、広告配信情報制限手段３３ａによりユーザに配布したサブ画面５ａの企業業種ごとの識別番号からＢ社と競業するＤ社の広告を含まない第１広告配信データ（ＲＳＳ−１）が特定され、サブ画面５ａに第１広告配信データ（ＲＳＳ−１）が配信される。よって、サブ画面５ａには自動車メーカーＢ社と競業する自動車メーカーＤ社の広告は配信されない。
【００７６】
サブ画面５ｂが化粧品メーカーＥ社の配布したものであった場合、広告配信情報制限手段３３ａによりユーザに配布したサブ画面５ｂの企業業種ごとの識別番号からすべての広告を含む第２広告配信データ（ＲＳＳ−２）が特定され、このサブ画面５ｂには第２広告配信データ（ＲＳＳ−２）が配信され、Ａ社〜Ｆ社すべての広告が配信される。
【００７７】
サブ画面５ｃが食品メーカーＣ社の配布したものであった場合、広告配信情報制限手段３３ａによりユーザに配布したサブ画面５ｃの企業業種ごとの識別番号からＣ社と競業するＡ社の広告を含まない第３広告配信データ（ＲＳＳ−３）が特定され、このサブ画面５ｃには第３広告配信データ（ＲＳＳ−３）が配信される。よって、食品メーカーＣ社と競業する食品メーカーＡ社の広告は配信されない。
【００７８】
このように、サブ画面５のダウンロード元の企業業種と、サブ画面５上に表示される企業広告の企業業種とが重複しないようにしているので、競合他社との重複表示による企業ブランドの低下を防止することができる。
【００７９】
尚、本発明は上述した実施の形態に限定されず、その要旨を逸脱しない範囲で種々の変形が可能である。図１４は変形例に係るサブ画面５を示す図である。サブ画面５は二点鎖線で示す最大表示の画面よりも小さく表示（部分表示）されており、係るサブ画面５にインターネットの検索部２３、時刻２１ａ、ニュース等の表示部２１ｄが設けられている。係るサブ画面５を表示するには、図１４の二点鎖線で示すサブ画面５の右上に表示されている部分表示ボタン２４ａをクリックすることで、実線で示すサブ画面５に切替わる。
【００８０】
一方、部分表示したサブ画面５から二点鎖線で示すサブ画面５を表示するためには、サブ画面の右上の最大表示ボタン２４ｂをクリックすることで、二点鎖線で示すサブ画面になる。このように、部分表示したサブ画面５にインターネットの検索部２３を含む一部の機能のみを備えているので、小さな画面でインターネットの検索が簡単にできる。
【００８１】
サブ画面５に表示する内容は、上述したものに限定されず、例えばテレビ番組表、ネットワーク情報（メールチェック機能、インターネットの回線速度及び累積利用時間、ＬＡＮ上の他のＰＣ情報、モデムの状況）、ハードウェア情報（ＣＰＵ利用率、メモリ利用率、ＨＤＤ利用率）、音楽情報（ＣＤ発売情報）、株価情報であっても良い。
【００８２】
上述の実施形態において、サブ画面５はコンピュータの表示画面３の右端部に表示するようにしたが、これに限定されず、サブ画面５を表示画面３の左端部に表示させてもよい。
【図面の簡単な説明】
【００８３】
【図１】第１実施の形態を説明する図であり、画面表示装置において、サブ画面がコンピュータの表示画面に全体表示されている状態を示す図である。
【図２】サブ画面が全体表示から部分表示又は部分表示から全体表示になる途中を示す図である。
【図３】サブ画面がコンピュータの表示画面に部分表示されている状態を示す図である。
【図４】サブ画面が部分表示から全体表示になる動作を説明するフローチャートである。
【図５】サブ画面が全体表示から部分表示になる動作を説明するフローチャートである。
【図６】第１実施の形態に係る画面表示装置の制御ブロック図である。
【図７】サブ画面のダウンロード方法を説明する図である。
【図８】サブ画面を拡大して示す図である。
【図９】第１実施の形態を説明する図であり、（ａ）はサブ画面の特集広告枠にリンクして表示されるレイヤー画面、（ｂ）はサブ画面のカテゴリ広告枠にリンクして表示されるレイヤー画面、（ｃ）はサブ画面のリスティング広告にリンクして表示されるレイヤー画面をそれぞれ示す図である。
【図１０】広告主のシステム閲覧及び編集機能について説明する図である。
【図１１】システム管理者のシステム管理方法について説明する図である。
【図１２】広告配信の排他処理機能について説明する図である。
【図１３】サブ画面を利用した広告提供システム全体について説明する図である。
【図１４】変形例に係るサブ画面の表示を示す図である。
【符号の説明】
【００８４】
１          画面表示装置
３          表示画面（表示部）
５          サブ画面
７          サブ画面表示手段
９          マウスポインタ
１０        サブ画面表示制御手段
１３        座標位置判別手段
２１        情報配信部
２３        インターネットの検索部
２５        広告表示部
３１        データベースサーバ
３３        広告配信サーバ
３３ａ      広告配信情報制限手段
３５        Ｌｏｇサーバ
３７        広告管理サーバ
【図１】
2007179320.tif 000003
【図２】
2007179320.tif 000004
【図３】
2007179320.tif 000005
【図４】
2007179320.tif 000006
【図５】
2007179320.tif 000007
【図６】
2007179320.tif 000008
【図７】
2007179320.tif 000009
【図８】
2007179320.tif 000010
【図９】
2007179320.tif 000011
【図１０】
2007179320.tif 000012
【図１１】
2007179320.tif 000013
【図１２】
2007179320.tif 000014
【図１３】
2007179320.tif 000015
【図１４】
2007179320.tif 000016